(57)【要約】【課題】非常用電源を含む複数の電源系統に対して、適合しない医療機器などの電気機器の接続を未然に防止できるようにすること。【解決手段】商用電源及び一又は二種類以上の非常用電源からなる電源系統５１のコンセントＣと電気機器１との間に介在接続される情報提供装置１０１と管理装置２０１との間で、電力線搬送通信を実行するシステムを前提とする。情報提供装置１０１は、接続された電気機器１の機器属性を示す属性データａを含むデータセットを管理装置２０１に向けて送信する。管理装置２０１は、データセットの送信を媒介した電源系統５１の種類を判定し、受信したデータセットが含む属性データａが示す機器属性と判定した電源系統５１の種類との適否を判定し、不適合の場合、情報提供装置１０１に向けてアラーム信号を送信する。情報提供装置１０１は、アラーム信号の受信に応じてアラーム報知を行なう。【選択図】図１
2013162530.tif 000002
【特許請求の範囲】
【請求項１】
商用電源及び一又は二種類以上の非常用電源からなる電源系統のコンセントと電気機器の電源との間に介在接続されて、電力線搬送通信を実行する情報提供装置と、
前記電源系統のコンセントに接続されて、前記情報提供装置との間で電力線搬送通信を実行する管理装置と、
を備え、
前記情報提供装置は、
接続された前記電気機器の機器属性を特定する属性データを記憶する第１の記憶部と、
アラームを報知するアラーム装置と、
電力線搬送通信によって、送信元を特定する送信元データと前記第１の記憶部が記憶する属性データとを含むデータセットを前記管理装置に向けて送信する手段と、
アラーム信号の受信に応じて前記アラーム装置を駆動し、アラームを報知させる手段と、
を備え、
前記管理装置は、
前記電気機器の機器属性と電源系統との適合関係を定義する関係定義を記憶する第２の記憶部と、
前記データセットの受信に応じて、電力線搬送通信による当該データセットの送信を媒介した電源系統の種類を判定する手段と、
前記第２の記憶部が記憶する関係定義を参照し、前記受信したデータセットが含む属性データによって特定される機器属性と前記判定した電源系統の種類との適否を判定する手段と、
機器属性と電源系統の種類との不適合を判定した場合、電力線搬送通信によって、前記受信したデータセットが含む送信元データによって特定される前記情報提供装置に向けてアラーム信号を送信する手段と、
を備える、
ことを特徴とする電源系統の不適合接続監視システム。
【請求項２】
前記非常用電源の電源系統は、一般非常用電源系統と特別非常用電源系統と瞬時特別非常用電源系統とを含んでいる、ことを特徴とする請求項１に記載の電源系統の不適合接続監視システム。
【請求項３】
前記非常用電源の電源系統は、交流無停電電源装置による非常用電源系統も含んでいる、ことを特徴とする請求項２に記載の電源系統の不適合接続監視システム。
【請求項４】
前記情報提供装置は、前記電気機器の電源プラグを接続するための中継コンセントを備えて、前記電気機器とは別体に形成された独立形態を有している、ことを特徴とする請求項１ないし３のいずれか一に記載の電源系統の不適合接続監視システム。
【請求項５】
前記情報提供装置は、電源系統の種類を選択するためのセレクタを備え、このセレクタによって選択された電源系統の種類を、前記管理装置に向けて送信する前記データセットに含ませる属性データとして設定する、ことを特徴とする請求項４に記載の電源系統の不適合接続監視システム。
【請求項６】
前記情報提供装置は、前記中継コンセントを通信領域として、前記電気機器がその電源プラグに備える自らの属性データを記憶するＩＣチップと無線通信を行なう無線通信ユニットを備え、無線通信によって得た前記ＩＣチップが記憶する属性データを、前記第１の記憶部に記憶する、ことを特徴とする請求項４に記載の電源系統の不適合接続監視システム。
【請求項７】
前記属性データは、前記対応付けられた電気機器に適合する電源系統を特定するデータである、ことを特徴とする請求項１ないし６のいずれか一に記載の電源系統の不適合接続監視システム。
【請求項８】
前記属性データは、前記対応付けられた電気機器を一意に識別するデータである、ことを特徴とする請求項１ないし６のいずれか一に記載の電源系統の不適合接続監視システム。
【請求項９】
前記管理装置は、
表示装置と、
前記表示装置を駆動して、前記受信したデータセットが含む属性データによって特定される前記電気機器と前記適否の判定結果とを対応付けて表示させる手段と、
を更に備える、ことを特徴とする請求項８に記載の電源系統の不適合接続監視システム。
【請求項１０】
前記管理装置は、
報知装置と、
機器属性と電源系統の種類との不適合を判定した場合に前記報知装置を駆動して、アラームを報知させる手段と、
を更に備える、ことを特徴とする請求項１ないし９のいずれか一に記載の電源系統の不適合接続監視システム。
【請求項１１】
前記管理装置は、電力線搬送通信によるデータ通信を実行する通信モジュールを電源系統毎に備え、前記データセットの送信を媒介した前記通信モジュールをもって当該データセットの送信を媒介した電源系統の種類を判定する、ことを特徴とする請求項１ないし１０のいずれか一に記載の電源系統の不適合接続監視システム。
【請求項１２】
商用電源及び一又は二種類以上の非常用電源からなる電源系統のコンセントと電気機器の電源との間に介在接続されて、電力線搬送通信を実行する情報提供装置と、前記電源系統のコンセントに接続されて、前記情報提供装置との間で電力線搬送通信を実行する管理装置と、を備えるシステムにおいて実行される方法であって、
前記情報提供装置が、
電力線搬送通信によって、送信元を特定する送信元データと第１の記憶部が記憶する接続された前記電気機器の機器属性を特定する属性データとを含むデータセットを前記管理装置に向けて送信する工程と、
アラーム信号の受信に応じてアラームを報知するアラーム装置を駆動し、アラームを報知させる工程と、
を実行し、
前記管理装置が、
前記データセットの受信に応じて、電力線搬送通信による当該データセットの送信を媒介した電源系統の種類を判定する工程と、
前記第２の記憶部が記憶する前記電気機器の機器属性と電源系統との適合関係を定義する関係定義を参照し、前記受信したデータセットが含む属性データによって特定される機器属性と前記判定した電源系統の種類との適否を判定する工程と、
機器属性と電源系統の種類との不適合を判定した場合、電力線搬送通信によって、前記受信したデータセットが含む送信元データによって特定される前記情報提供装置に向けてアラーム信号を送信する工程と、
を実行する、
ことを特徴とする電源系統の不適合接続監視方法。
【発明の詳細な説明】
【技術分野】
【０００１】
本発明は、非常用電源を含む複数の電源系統に接続された医療機器などの電気機器の接続適合性を監視できるようにした電源系統の不適合接続監視システム及び監視方法に関する。
【背景技術】
【０００２】
病院などの医療機関は、その規模や種類にもよるが、治療室、手術室、ＩＣＵ（集中治療室）、ＮＩＣＵ（新生児集中治療室）などの様々な医用室を備え、これらの医用室に各種の医療機器を設置している。医療機器は、患者の命に直結したものであり、常に正しく動作することが求められる。その反面、電気機器である医療機器は、電気がなければ動作することすらできない。停電が発生した場合の対策が必要になるわけである。そこで、医療機関の多くは、非常用電源を備えた自家発電システムを設備して、停電発生時における医療機器の正常動作を確保し、患者の命を守ることができるように努力している。
【０００３】
非常用電源を備えた自家発電システムは、例えば特許文献１に記載されているように、停電時、自ら保有する発電機などの自家発電設備や蓄電池から電気機器に電力を供給するシステムである。非常用電源は、その専用のコンセントに電気機器を接続して使用する。
【０００４】
医療機関で採用すべき非常用電源は、一般非常用電源、特別非常用電源、瞬時特別非常用電源の三種類に大別される。一般非常用電源は、停電から４０秒以内に自家発電設備が電力を確保し、その状態を１０時間以上維持できるようにした非常用電源である。重要な医療機器や照明に適用される。特別非常用電源は、停電から４０秒以内に自家発電設備が電力を確保し、その状態を１０時間以上維持できるようにした非常用電源である。生命維持装置などに適用される。瞬時特別非常用電源は、停電から０．５秒以内に蓄電池設備が電力を確保し、その状態を１０分以上維持できるようにした非常用電源である。手術灯などに適用される。これらの一般非常用電源、特別非常用電源、瞬時特別非常用電源のコンセントは、医療用のコンセントとして、商用電源の白色のコンセントと区別するために、赤色に着色されている。
【０００５】
その他、医療機関では、交流無停電電源装置を設備し、その無停電電源を非常用電源として用いるようなことも行なっている。無停電電源のコンセントは、緑色に着色されていることが多い。
【先行技術文献】
【特許文献】
【０００６】
【特許文献１】特開２００９−７１９７７号公報
【発明の概要】
【発明が解決しようとする課題】
【０００７】
非常用電源を使用するに際して重要なことは、個々の医療機器やその他の電気機器を、それに適した非常用電源に接続するということである。例えば、生命維持装置という人の生死に直接かかわる重要な医療機器を、電力供給状態を短時間しか維持できない瞬時特別非常用電源に接続してしまうと、極めて重篤な事態を引き起こす引き金になる。逆に、重要な医療機器を接続すべき一般非常用電源や特別非常用電源に対して、医療機器以外の電気機器を数多く接続してしまうと、自家発電設備による電力がショートしてしまい、非常用電源による電力供給を真に必要とする医療機器の正常動作を妨げてしまいかねない。
【０００８】
ところが、医療機関で採用する非常用電源は、前述した通り、一般非常用電源、特別非常用電源、瞬時特別非常用電源の三種類ある。交流無停電電源装置による無停電源も含めれば、四種類もあることになる。このため、病院などの医療機関に勤務する医療従事者や職員の全員がその違いを知悉していれば問題なかろうが、現実にはそうも行かず、医療機器やその他の電気機器を、適合しない非常用電源に接続してしまうことがある。あるいは、非常用電源の種類とこれに適合する医療機器との対応関係を知ってはいても、不適合接続をしてしまう可能性を排除することはできない。このような人為的なミスは、日常、不可避的に発生するものである。とりわけ、一般非常用電源と特別非常用電源と瞬時特別非常用電源との三種類は、そのコンセントの色が全て赤色と同色であり、勘違いやミスを誘発し易い。
【０００９】
本発明は、このような点に鑑みなされたもので、非常用電源を含む複数の電源系統に対して、適合しない医療機器などの電気機器が接続され続けることを未然に防止することを目的とする。
【課題を解決するための手段】
【００１０】
本発明の電源系統の不適合接続監視システムは、商用電源及び一又は二種類以上の非常用電源からなる電源系統のコンセントと電気機器の電源との間に介在接続されて、電力線搬送通信を実行する情報提供装置と、前記電源系統のコンセントに接続されて、前記情報提供装置との間で電力線搬送通信を実行する管理装置と、を備え、前記情報提供装置が、（Ａ１）接続された前記電気機器の機器属性を特定する属性データを記憶する第１の記憶部と、（Ａ２）アラームを報知するアラーム装置と、（Ａ３）電力線搬送通信によって、送信元を特定する送信元データと前記第１の記憶部が記憶する属性データとを含むデータセットを前記管理装置に向けて送信する手段と、（Ａ４）アラーム信号の受信に応じて前記アラーム装置を駆動し、アラームを報知させる手段と、を備え、前記管理装置が、（Ａ５）前記電気機器の機器属性と電源系統との適合関係を定義する関係定義を記憶する第２の記憶部と、（Ａ６）前記データセットの受信に応じて、電力線搬送通信による当該データセットの送信を媒介した電源系統の種類を判定する手段と、（Ａ７）前記第２の記憶部が記憶する関係定義を参照し、前記受信したデータセットが含む属性データによって特定される機器属性と前記判定した電源系統の種類との適否を判定する手段と、（Ａ８）機器属性と電源系統の種類との不適合を判定した場合、電力線搬送通信によって、前記受信したデータセットが含む送信元データによって特定される前記情報提供装置に向けてアラーム信号を送信する手段と、を備える、ことによって上記課題を解決するようにした。
【００１１】
本発明の電源系統の不適合接続監視方法は、商用電源及び一又は二種類以上の非常用電源からなる電源系統のコンセントと電気機器の電源との間に介在接続されて、電力線搬送通信を実行する情報提供装置と、前記電源系統のコンセントに接続されて、前記情報提供装置との間で電力線搬送通信を実行する管理装置と、を備えるシステムにおいて実行される方法であって、前記情報提供装置が、（Ｍ１）電力線搬送通信によって、送信元を特定する送信元データと前記第１の記憶部が記憶する接続された前記電気機器の機器属性を特定する属性データとを含むデータセットを前記管理装置に向けて送信する工程と、（Ｍ２）アラーム信号の受信に応じてアラームを報知するアラーム装置を駆動し、アラームを報知させる工程と、を実行し、前記管理装置が、（Ｍ３）前記データセットの受信に応じて、電力線搬送通信による当該データセットの送信を媒介した電源系統の種類を判定する工程と、（Ｍ４）前記第２の記憶部が記憶する前記電気機器の機器属性と電源系統との適合関係を定義する関係定義を参照し、前記受信したデータセットが含む属性データによって特定される機器属性と前記判定した電源系統の種類との適否を判定する工程と、（Ｍ５）機器属性と電源系統の種類との不適合を判定した場合、電力線搬送通信によって、前記受信したデータセットが含む送信元データによって特定される前記情報提供装置に向けてアラーム信号を送信する工程と、を実行する、ことによって上記課題を解決するようにした。
【発明の効果】
【００１２】
本発明によれば、商用電源及び一又は二種類以上の非常用電源のコンセントに電気機器が接続された場合、接続された電気機器と電源系統の種類との適否を判定し、不適合である場合には、情報提供装置にてアラームを報知するようにしたので、個々の電源系統に不適合な接続がなされた場合に生ずる可能性がある、人の命に係わる重篤な事態の発生を未然に防止することができる。
【図面の簡単な説明】
【００１３】
【図１】第一の実施の形態として、電源系統の不適合接続監視システムのシステム構成を示すブロック図。
【図２】情報提供装置が記憶する属性データ及び管理装置が記憶する関係定義と共に、両者間のデータ通信によって送受信されるデータを示す、（ａ）はその一例の模式図、（ｂ）はその別の一例の模式図。
【図３】情報提供装置と管理装置とが実行する処理の流れを示すフローチャート。
【図４】管理装置がその表示装置に表示する、電源系統の接続に不適合があったことを示すアラーム報知画面の一例を示す模式図。
【図５】管理装置がその表示装置に表示する、電源系統の接続状態を示す接続状態画面の一例を示す模式図。
【図６】第二の実施の形態として、医療機器と情報提供装置と電源系統のコンセントとを示す模式図。
【図７】第三の実施の形態として、情報提供装置のハードウェア構成を示すブロック図。
【図８】第四の実施の形態として、情報提供装置のハードウェア構成を示すブロック図。
【発明を実施するための形態】
【００１４】
本実施の形態は、病院などの医療機関に設置される電源系統５１の不適合接続監視システム及びこのシステムが実行する監視方法である。以下、第一から第四までの実施の形態を紹介する。
【００１５】
≪第一の実施の形態≫
第一の実施の形態を図１ないし図５に基づいて説明する。
【００１６】
１．医療機関における電源系統のインフラ
図１に示すように、本実施の形態の不適合接続監視システムが設置される医療機関では、電源系統５１のインフラとして、電力会社から電力供給を受ける商用電源系統５１ａの他に、非常用電源系統５１ｂ〜ｅを備えている。非常用電源系統５１ｂ〜ｅは、非常用電源系統５１ｂと、一般非常用電源系統５１ｃと、特別非常用電源系統５１ｄと、瞬時特別非常用電源系統５１ｅとからなる。これらの非常用電源系統５１ｂ〜ｅは、非常用電源設備５２から電力供給を受ける。
【００１７】
非常用電源系統５１ｂは、非常用電源設備５２の一部である交流無停電電源装置（図示せず）から電力供給される無停電電源の系統である。医療機関内で使用される各種の情報機器などに適用される。
【００１８】
一般非常用電源系統５１ｃは、非常用電源設備５２の一部である自家発電設備（図示せず）から電力供給される非常用電源の系統である。停電から４０秒以内に自家発電設備が電力を確保し、その状態を１０時間以上維持できるようにされている。重要な医療機器や照明に適用される。
【００１９】
特別非常用電源系統５１ｄは、非常用電源設備５２の一部である自家発電設備（図示せず）から電力供給される非常用電源の系統である。停電から４０秒以内に自家発電設備が電力を確保し、その状態を１０時間以上維持できるようにされている。生命維持装置などに適用される。
【００２０】
瞬時特別非常用電源系統５１ｅは、非常用電源設備５２に接続された蓄電池５３から電力供給される非常用電源の系統である。停電から０．５秒以内に蓄電池５３が電力を確保し、その状態を１０分以上維持できるようにされている。手術灯などに適用される。
【００２１】
商用電源系統５１ａのコンセントＣ０は、白色に着色されている。非常用電源系統５１ｂのコンセントＣ１は、緑色に着色されている。一般非常用電源系統５１ｃ、特別非常用電源系統５１ｄ、瞬時特別非常用電源系統５１ｅのコンセントＣは、それぞれ、赤色に着色された医療用のコンセントＣ２、Ｃ３、Ｃ４である。
【００２２】
２．システム構成
図１に示すように、本実施の形態のシステムは、情報提供装置１０１と管理装置２０１とを備え、これらの情報提供装置１０１と管理装置２０１との間で、電源系統５１（５１ａ〜５１ｅ）を利用した電力線搬送通信を実行する。このようなシステム構成の下、本実施の形態のシステム及び方法は、情報提供装置１０１と管理装置２０１とにおいて、個々の電源系統５１（商用電源系統５１ａ、非常用電源系統５１ｂ、一般非常用電源系統５１ｃ、特別非常用電源系統５１ｄ、瞬時特別非常用電源系統５１ｅ）に接続された電気機器１について、その接続適合性を監視するための処理及び工程を実行する。
【００２３】
情報提供装置１０１は、医療機器などの電気機器１に搭載され、この電気機器１の電源（図示せず）と電源系統５１のコンセントＣとの間に介在接続されて、電力線搬送通信を実行する。情報提供装置１０１は、制御部１０２を備え、この制御部１０２に通信モジュール１０３とメモリ１０４（第１の記憶部）とアラーム装置１０５とを接続している。
【００２４】
制御部１０２は、プロセッサを主体とし、各種演算処理を実行して通信モジュール１０３などの各部を制御する。一例として、制御部１０２は、処理内容が予め書き込まれた集積回路からなるシーケンサによって実現される。
【００２５】
通信モジュール１０３は、制御部１０２に駆動制御されて、電源系統５１を介して電力線搬送通信を実行するためのモジュールである。
【００２６】
メモリ１０４は、情報提供装置１０１が接続する電気機器１の機器属性を特定する属性データａを記憶している（図２参照）。属性データａは、図２に示すように、一例として電源系統コードａ１であり（図２（ａ）参照）、別の一例として機器識別コードａ２である（図２（ｂ）参照）。電源系統コードａ１は、情報提供装置１０１が接続している電気機器１が適合する電源系統５１を特定するデータである。機器識別コードａ２は、情報提供装置１０１が接続している電気機器１の同一性を一意に識別するデータである。機器属性は、電源系統コードａ１と機器識別コードａ２との何れか一方のみの体系として定義されていても、両者が混在する体系として定義されていても、いずれでも良い。
【００２７】
アラーム装置１０５は、光や音などによってアラームを報知する構造のもので、制御部１０２に駆動されることでアラームを報知する。
【００２８】
管理装置２０１は、電源系統５１のコンセントＣに接続されて、情報提供装置１０１との間で電力線搬送通信を実行する。管理装置２０１は、制御部２０２を備え、この制御部２０２に通信モジュール２０３と記憶装置２０４（第２の記憶部）と表示装置２０５とを接続している。
【００２９】
制御部２０２は、プロセッサを主体とし、各種演算処理を実行して通信モジュール２０３などの各部を制御する。一例として、制御部２０２は、ＣＰＵとメモリとからなるマイクロコンピュータによって実現される。
【００３０】
通信モジュール２０３は、個々の電源系統５１、つまり、商用電源系統５１ａ、非常用電源系統５１ｂ、一般非常用電源系統５１ｃ、特別非常用電源系統５１ｄ、瞬時特別非常用電源系統５１ｅ毎に設けられている。個々の通信モジュール２０３（通信モジュールＡ、Ｂ、Ｃ、Ｄ、Ｅ）は、個々の電源系統５１のコンセントＣ（Ｃ０、Ｃ１、Ｃ２、Ｃ３、Ｃ４）に電源プラグＭＰ（ＭＰ０、ＭＰ１、ＭＰ２、ＭＰ３、ＭＰ４）をもって接続する。これらの通信モジュール２０３は、制御部１０２に駆動制御されて、電源系統５１を介して電力線搬送通信を実行する。したがって、制御部１０２は、どの通信モジュール２０３を用いて電力線搬送通信を実行したかを認識することができる。
【００３１】
記憶装置２０４は、第１のテーブルＴ１と第２のテーブルＴ２（図２（ａ）、（ｂ）参照）とを記憶保存している。
【００３２】
第１のテーブルＴ１は、図１に示すように、個々の通信モジュール２０３（通信モジュールＡ、Ｂ、Ｃ、Ｄ、Ｅ）と個々の電源系統５１との対応関係を定義している。つまり、第１のテーブルＴ１は、個々の通信モジュール２０３を特定する通信モジュールコードｃｃに対応させて、接続すべき電源系統５１を特定する電源系統コードｐｓを定義する。個々の通信モジュール２０３の電源プラグＭＰ（ＭＰ０、ＭＰ１、ＭＰ２、ＭＰ３、ＭＰ４）を、電源系統５１のどのコンセントＣ（Ｃ０、Ｃ１、Ｃ２、Ｃ３、Ｃ４）に接続させるべきなのかは、第１のテーブルＴ１での定義に従い決定される。
【００３３】
第２のテーブルＴ２は、図２に示すように、電気機器１の機器属性と電源系統５１との適合関係を定義する関係定義である。機器属性は、一例として電源系統コードａ１であり（図２（ａ）参照）、別の一例として機器識別コードａ２である（図２（ｂ）参照）。情報提供装置１０１のメモリ１０４に記憶させる属性データａに合わせて設定される。つまり、情報提供装置１０１のメモリ１０４が属性データａとして電源系統コードａ１を記憶する場合、第２のテーブルＴ２も、機器属性として電源系統コードａ１を設定する。これに対して、情報提供装置１０１のメモリ１０４が属性データａとして機器識別コードａ２を記憶する場合、第２のテーブルＴ２も、機器属性として機器識別コードａ２を設定する。これに加えて、情報提供装置１０１のメモリ１０４が、電源系統コードａ１と機器識別コードａ２との何れか一方のみの体系として機器属性を定義する場合には、第２のテーブルＴ２も電源系統コードａ１と機器識別コードａ２との何れか一方のみを設定するし、電源系統コードａ１と機器識別コードａ２との両者が混在する体系として機器属性を定義する場合には、第２のテーブルＴ２も電源系統コードａ１と機器識別コードａ２とを混在させて定義する。
【００３４】
図２に示すように、第２のテーブルＴ２は、個々の機器属性を特定する属性データａに対応させて、これに適合する電源系統コードｐｓを定義する。例えば、電気機器１として重要な医療機器及び照明を特定する属性データａには、これに適合する電源系統コードｐｓとして、一般非常用電源系統５１ｃを特定するコードを定義する。電気機器１として生命維持装置を特定する属性データａには、これに適合する電源系統コードｐｓとして、特別非常用電源系統５１ｄを特定するコードを定義する。電気機器１として手術灯を特定する属性データａには、これに適合する電源系統コードｐｓとして、瞬時特別非常用電源系統５１ｅを特定するコードを定義する。
【００３５】
表示装置２０５は、画像を表示するディスプレイである。本実施の形態では、表示装置２０５にアラームを表示させることがある。この場合、表示装置２０５は、報知装置として機能する。
【００３６】
３．不適合接続監視システムが実行する処理
図３に示すように、不適合接続監視システムは、情報提供装置１０１と管理装置２０１との間で通信を行ない、電源系統５１の不適合接続を監視している。
【００３７】
電気機器１（情報提供装置１０１）の電源プラグＰが何れかの電源系統５１のコンセントＣ（Ｃ０、Ｃ１、Ｃ２、Ｃ３、Ｃ４）に接続されると、情報提供装置１０１の制御部１０２は、メモリ１０４が記憶する機器属性を特定する属性データａを管理装置２０１に向けて送信する（ステップＳ１０１）。この際、情報提供装置１０１は、データセットＤＳを電力線搬送通信によって送信する（図２（ａ）、（ｂ）参照）。データセットＤＳは、情報提供装置１０１の同一性を示す自機の通信ＩＤを送信元データとして属性データａと組み合わせたデータである。情報提供装置１０１は、メモリ１０４が記憶する属性データａとして電源系統コードａ１を定義している場合には、通信ＩＤに電源系統コードａ１を組み合わせたデータセットＤＳを生成する（図２（ａ）参照）。これに対して、属性データａとして機器識別コードａ２を定義している場合には、通信ＩＤに機器識別コードａ２を組み合わせたデータセットＤＳを生成する（図２（ｂ）参照）。
【００３８】
管理装置２０１の制御部２０２は、データセットＤＳを受信したならば（ステップＳ２０１のＹＥＳ）、受信したデータセットＤＳが含む属性データａと電力線搬送通信に用いた電源系統５１とを照合する（ステップＳ２０２）。この処理に用いるのが、記憶装置２０４が記憶する第１のテーブルＴ１（図１参照）及び第２のテーブルＴ２（図２参照）である。
【００３９】
管理装置２０１の制御部２０２は、ステップＳ２０２の照合処理として、第１のテーブルＴ１を参照し、ステップＳ２０１で受信判定した電力線搬送通信に用いた通信モジュール２０３（通信モジュールＡ、Ｂ、Ｃ、Ｄ、Ｅ）を特定する通信モジュールコードｃｃに対応する電源系統コードｐｓを検索する。また、第２のテーブルＴ２を参照し、受信したデータセットＤＳに含まれている属性データａと同一の属性データａ（電源系統コードａ１、機器識別コードａ２）に対応付けられている電源系統コードｐｓを検索する。そして、第１のテーブルＴ１から検索した電源系統コードｐｓと第２のテーブルＴ２から検索した電源系統コードｐｓとを照合し、その一致不一致を判定するわけである。これが、ステップＳ２０２の照合処理である。
【００４０】
管理装置２０１の制御部２０２は、ステップＳ２０２の照合処理の結果、第１のテーブルＴ１から検索した電源系統コードｐｓと第２のテーブルＴ２から検索した電源系統コードｐｓとの一致を判定した場合には（ステップＳ２０３のＹＥＳ）、ステップＳ２０４の処理を経ることなくステップＳ２０５の処理に進み、一致を判定しなかった場合には（ステップＳ２０３のＮＯ）、ステップＳ２０４の処理を経てステップＳ２０５の処理に進む。
【００４１】
ステップＳ２０４の処理は、電力線搬送通信によって、アラーム信号ａｌを情報提供装置１０１に送信する処理である。第１のテーブルＴ１から検索した電源系統コードｐｓと第２のテーブルＴ２から検索した電源系統コードｐｓとが一致しないということは（ステップＳ２０３のＮＯ）、接続適合性の判定対象となっている電気機器１が、適合しない電源系統５１に接続されたことを意味する。そこで、この場合には、データセットＤＳを送信してきた、その電気機器１に接続されている情報提供装置１０１に向けて、アラーム信号ａｌを送信するわけである（ステップＳ２０４）。送信先の情報提供装置１０１は、アラーム信号ａｌに伴わせる通信ＩＤによって指定する。この通信ＩＤには、ステップＳ２０１で受信判定したデータセットＤＳに含まれていた通信ＩＤを用いる。
【００４２】
情報提供装置１０１の制御部１０２は、アラーム信号ａｌを受信すると（ステップＳ１０２のＹＥＳ）、アラーム装置１０５を駆動してアラームを報知させる（ステップＳ１０３）。
【００４３】
ステップＳ２０５の処理は、電源系統５１に対する電気機器１の接続状態を表示装置２０５に表示する処理である。前述した通り、ステップＳ２０２の照合処理の結果、第１のテーブルＴ１から検索した電源系統コードｐｓと第２のテーブルＴ２から検索した電源系統コードｐｓとが一致しないということは（ステップＳ２０３のＮＯ）、接続適合性の判定対象となっている電気機器１が、適合しない電源系統５１に接続されたこと、逆に云うと、電源系統５１に対して、適合しない電気機器１が接続されたことを意味する。管理装置２０１の制御部２０２は、この場合、表示装置２０５を駆動制御し、不適合な接続が発生した旨のアラームを表示して報知する。
【００４４】
図４は、管理装置２０１がその表示装置２０５に表示する、電源系統５１の接続に不適合があったことを示すアラーム報知画面ＷＩの一例を示す模式図である。電源系統５１に対して、適合しない電気機器１が接続されたアラーム報知は、例えば、図４に示すアラーム報知画面ＷＩによって行なわれる。アラーム報知画面ＷＩは、一例として、「××時××分に、××電源系統に不適合接続が発生しました。接続を正してください」というようなメッセージを表示する。ここでの「××時××分」という時分は、電源系統５１に電気機器１が接続したのと同一視することができる、ステップＳ２０１でデータセットＤＳの受信判定をした時分から引用した時分である。「××電源系統」は、ステップＳ２０１で受信判定した電力線搬送通信に用いた通信モジュール２０３（通信モジュールＡ、Ｂ、Ｃ、Ｄ、Ｅ）を特定する通信モジュールコードｃｃに対応する電源系統コードｐｓから判明する電源系統５１である。
【００４５】
図５は、管理装置２０１がその表示装置２０５に表示する、電源系統５１の接続状態を示す接続状態画面ＣＩの一例を示す模式図である。ステップＳ２０１で受信判定したデータセットＤＳに含まれている属性データａが機器識別コードａ２であった場合、管理装置２０１の制御部２０２は、電源系統５１に接続したのがどの電気機器１であるのかを知ることができる。機器識別コードａ２は、情報提供装置１０１が接続している電気機器１の同一性を一意に識別するデータだからである。勿論、機器識別コードａ２と電気機器１との名称を示すデータとの対応付けを定義する定義データ（図示せず）が必要にはなるが、このような定義データさえ管理しておけば、電源系統５１に接続した電気機器１を知ることができるわけである。そこで、管理装置２０１の制御部２０２は、ステップＳ２０５の接続状態の表示として、受信したデータセットＤＳに含まれている機器識別コードａ２から個々具体的な電気機器１の名称を検索し、電源系統５１に対する接続の適否を接続状態画面ＣＩに表示する。
【００４６】
接続状態画面ＣＩは、「時分」毎に「機器」と「ステータス」とを表示している。「時分」は、電源系統５１に電気機器１が接続したのと同一視することができる、ステップＳ２０１でデータセットＤＳの受信判定をした時分である。「機器」は、受信したデータセットＤＳに含まれている機器識別コードａ２から検索して割り出した個々具体的な電気機器１の名称である。「ステータス」は、ステップＳ２０２での照合処理の処理結果である。○印は適合接続、×印は不適合接続をそれぞれ示している。
【００４７】
４．作用効果
以上説明したように、本実施の形態のシステム及び方法によれば、電源系統５１（５１ａ〜ｅ）のコンセントＣ（Ｃ０〜Ｃ４）に電気機器１（情報提供装置１０１）の電源プラグＰが接続された場合、接続された電気機器１と電源系統５１の種類との適否を判定し（図３のステップＳ２０２）、不適合である場合には（図３のステップＳ２０３のＮＯ）、情報提供装置１０１にてアラームを報知するようにした（図３のステップＳ１０３）。この際、コンセントＣ（Ｃ０〜Ｃ４）に電気機器１（情報提供装置１０１）の電源プラグＰを差し込んだ者、例えば医療機関の医療従事者や職員は、情報提供装置１０１を目の前にしているため、そのアラーム装置１０５がアラーム報知をすれば、必ずや異常の発生に気が付くはずである。したがって、個々の電源系統５１に対して、適合しない電気機器１を接続してしまった場合にはこれが改められるはずなので、個々の電源系統５１（５１ａ〜ｅ）に不適合な接続がなされた場合に生ずる可能性がある、人の命に係わる重篤な事態の発生を未然に防止できるわけである。
【００４８】
本実施の形態では、管理装置２０１においても、その表示装置２０５にアラーム報知画面ＷＩや接続状態画面ＣＩが表示される。これらの画面表示は、管理装置２０１の表示装置２０５を見た者（医療従事者や職員）に対しても、個々の電源系統５１（５１ａ〜ｅ）に不適合な接続がなされたことを知らせる。その結果、アラーム報知画面ＷＩや接続状態画面ＣＩを見た者に対して、電源系統５１に対する不適当な接続があった電気機器１を探し出してその電源プラグＰを正しく接続し直すという次の段階の行動を促すことができる。とりわけ、接続状態画面ＣＩでは、電源系統５１に接続した電気機器１が明示されるので、その電気機器１に対する物理的なアクセスを容易にすることができる。
【００４９】
≪第二の実施の形態≫
第二の実施の形態を図６に基づいて説明する。第一の実施の形態と同一部分は同一符号で示し、その説明も省略する。
【００５０】
図６に示すように、本実施の形態では、情報提供装置１０１が、電気機器１とは別体に形成された独立形態を有している。情報提供装置１０１は、電気機器１の電源（図示せず）から延びる電源プラグＰ１を接続するための中継コンセントＲＣを用意し、その電源プラグＰ２を個々の電源系統５１（５１ａ〜５１ｅ）のコンセントＣ（Ｃ０〜Ｃ４）に接続して使用する。
【００５１】
このような構成において、本実施の形態の情報提供装置１０１によれば、電気機器１に何らの改変を要求することがない。したがって、不適合接続監視システムの導入負担を軽くすることができる。
【００５２】
もっとも、情報提供装置１０１は、そのメモリ１０４に属性データａを記憶している。この属性データａは、情報提供装置１０１が接続される電気機器１の機器属性を特定するデータ（電源系統コードａ１、機器識別コードａ２）である。ということは、電気機器１と情報提供装置１０１とは、正しく対応付けて接続しなければならない。
【００５３】
この点、本実施の形態は、個々の情報提供装置１０１に、どの電気機器１に組み合わせて使用すべきかの情報を明示している。明示は、例えば文字によって、あるいはその他の記号によって行なうことができる。文字による明示を行なうには、例えば、対応する電気機器１の名称を表示しておけば良い。その他の記号としては、図形や色彩などを用いることができる。図形による明示を行なうには、一例として、対応する電気機器１の外観やその特徴部分の形状などを表示しておけば良い。別の一例として、個々の電気機器１とこれに対応する情報提供装置１０１とに、同一の抽象図形を記しておいても良い。色彩による明示を行なうには、例えば、個々の電気機器１とこれに対応する情報提供装置１０１とに、同一で特有の色彩を付しておけば良い。
【００５４】
個々の電気機器１と情報提供装置１０１との対応付けは、メモリ１０４が記憶する属性データａが電源系統コードａ１である場合には複数対一となり、機器識別コードａ２である場合には一対一となる。
【００５５】
≪第三の実施の形態≫
第三の実施の形態を図７に基づいて説明する。第一及び第二の実施の形態と同一部分は同一符号で示し、その説明も省略する。
【００５６】
本実施の形態でも、第二の実施の形態と同様に、情報提供装置１０１が、電気機器１とは別体に形成された独立形態を有している。本実施の形態において特有な点は、電気機器１と情報提供装置１０１とを対応付ける手法である。
【００５７】
本実施の形態の情報提供装置１０１は、制御部１０２にセレクタ１０６を接続させている。セレクタ１０６は、電源系統５１の種類を選択するために物理的に切り替え自在なスイッチである。制御部１０２は、セレクタ１０６による物理的な切り替え位置であるセレクト位置を認識する。メモリ１０４は、セレクタ１０６による個々のセレクト位置に対応付けて、電気機器１の属性を特定する属性データａを記憶している。そこで、制御部１０２は、セレクタ１０６によって選択された電源系統５１の種類、つまり、メモリ１０４にそのセレクト位置に対応付けて記憶されている属性データａを、図３のステップＳ１０１によって管理装置２０１に送信するデータセットＤＳに含ませる属性データａとして設定する。
【００５８】
このような構成において、本実施の形態の情報提供装置１０１によれば、セレクタ１０６の切り替えによって属性データａを自由に設定し、電気機器１に情報提供装置１０１を対応付けることができる。したがって、個々の電気機器１毎に、対応する情報提供装置１０１を用意する必要がなく、情報提供装置１０１の汎用性を高めることができる。
【００５９】
≪第四の実施の形態≫
第四の実施の形態を図８に基づいて説明する。第一及び第二の実施の形態と同一部分は同一符号で示し、その説明も省略する。
【００６０】
本実施の形態でも、第二の実施の形態と同様に、情報提供装置１０１が、電気機器１とは別体に形成された独立形態を有している。本実施の形態は、電気機器１と情報提供装置１０１とを対応付ける手法として、第二の実施の形態及び第三の実施の形態とは別の手法を提案する。
【００６１】
本実施の形態の情報提供装置１０１は、制御部１０２にＲＦＩＤモジュール１０７（無線通信ユニット）を接続させている。ＲＦＩＤモジュール１０７は、中継コンセントＲＣの部分にアンテナ（図示せず）を埋め込み、この中継コンセントＲＣの周辺を通信領域とし、ＩＣチップ（図示せず）と無線通信を実行する。本実施の形態では、ＩＣチップに起電力を生じさせて無線通信を行なうパッシブ方式のＲＦＩＤモジュール１０７が採用されている。このＲＦＩＤモジュール１０７による無線通信の相手方となるＩＣチップは、個々の電気機器１の電源プラグＰ１に設けておく。例えば、電源プラグＰ１への貼り付けによって、特別な改変を要することなく、ＩＣチップを個々の電気機器１に持たせることができる。ＩＣチップには、これを貼り付ける電気機器１の機器属性を特定する属性データａを記憶させておく。
【００６２】
情報提供装置１０１の制御部１０２は、メモリ１０４における属性データａを記憶する領域に、ＲＦＩＤモジュール１０７を用いたＩＣチップとの無線通信によって得た属性データａを記憶する。これにより、情報提供装置１０１の中継コンセントＲＣに電気機器１の電源プラグＰ１を接続するだけで、接続した電気機器１の機器属性を特定する属性データａをメモリ１０４の記憶保存することができる。このような属性データａの設定を実現するために、メモリ１０４には、ＥＥＰＲＯＭなどの、データを書き加えて保存することができる構造のものが用いられる。
【００６３】
このような構成において、本実施の形態の情報提供装置１０１によれば、情報提供装置１０１の中継コンセントＲＣに電気機器１の電源プラグＰ１を接続するだけで、接続した電気機器１の機器属性を特定する属性データａをメモリ１０４の記憶保存することができる。したがって、個々の電気機器１毎に、対応する情報提供装置１０１を用意する必要がなく、情報提供装置１０１の汎用性を高めることができる。
【００６４】
≪変形例≫
以上、第一〜第四の実施の形態について説明した。各実施の形態の実施に際しては、云うまでもなく、各種の変形や変更が可能である。
【符号の説明】
【００６５】
１    電気機器
５１    電源系統
５１ａ  商用電源系統
５１ｂ  非常用電源系統
５１ｃ  一般非常用電源系統
５１ｄ  特別非常用電源系統
５１ｅ  瞬時特別非常用電源系統
１０１    情報提供装置
１０４    メモリ（第１の記憶部）
１０５    アラーム装置
１０６    セレクタ
１０７    ＲＦＩＤモジュール（無線通信ユニット）
２０１    管理装置
２０４    記憶装置（第２の記憶部）
２０５    表示装置（報知装置）
ａ      属性データ
ａｌ    アラーム信号
ＤＳ    データセット
Ｐ２    電源プラグ
ＲＣ    中継コンセント
Ｔ２    第２のテーブル（関係定義）
Ｃ（Ｃ０〜Ｃ４）    コンセント
【図１】
2013162530.tif 000003
【図２】
2013162530.tif 000004
【図３】
2013162530.tif 000005
【図４】
2013162530.tif 000006
【図５】
2013162530.tif 000007
【図６】
2013162530.tif 000008
【図７】
2013162530.tif 000009
【図８】
2013162530.tif 000010